(57)【要約】【課題】可動片の動作耐久性が高い棚装置を提供する。【解決手段】床面から立設する立設体２と、立設体２の前方に延出するように取付けられる左右一対のブラケット５２と、一対のブラケット５２に沿って前後方向に移動可能に取付けられた棚ユニット５０と、ブラケット５２に設けられた規制部９ｅに係合可能な被規制部５４ｈを有し棚ユニット５０に取付けられた可動片５４と、を備える棚装置１であって、可動片５４は、上下の移動が許容された状態で棚ユニット５０に遊着されており、非操作時に自重により被規制部５４ｈが規制部９ｅに係止可能な位置に配置される。【選択図】図７
2020103337.tif 000002
【特許請求の範囲】
【請求項１】
床面から立設する立設体と、前記立設体の前方に延出するように取付けられる左右一対のブラケットと、該一対のブラケットに沿って前後方向に移動可能に取付けられた棚ユニットと、前記ブラケットに設けられた規制部に係合可能な被規制部を有し前記棚ユニットに取付けられた可動片と、を備える棚装置であって、
前記可動片は、上下の移動が許容された状態で該棚ユニットに遊着されており、非操作時に自重により前記被規制部が前記規制部に係止可能な位置に配置されることを特徴とする棚装置。
【請求項２】
前記棚ユニットのフレームに対して前記可動片が遊着されており、前記可動片は遊着部分よりも前記被規制部側に重心が位置するように構成されていることを特徴とする請求項１に記載の棚装置。
【請求項３】
前記フレームに形成された前後一対のスリットに前記可動片が挿通されていることを特徴とする請求項２に記載の棚装置。
【請求項４】
前記可動片は、前記被規制部よりも前方側に操作部が延設されていることを特徴とする請求項１ないし３のいずれかに記載の棚装置。
【請求項５】
前記一対のスリットのうち後側のスリットは、前側のスリットよりも高さ幅が狭いことを特徴とする請求項３または４に記載の棚装置。
【請求項６】
前記可動片は、該可動片及び前記棚ユニットの一方に設けられた舌片が他方に係合するように折り曲げられることで前記棚ユニットからの分離が防止されていることを特徴とする請求項１ないし５のいずれかに記載の棚装置。
【発明の詳細な説明】
【技術分野】
【０００１】
本発明は、スーパーマーケットやコンビニエンスストア等で商品等を陳列する棚装置に関する。
【背景技術】
【０００２】
スーパーマーケットやコンビニエンスストア等の売り場では、商品を陳列する棚装置が用いられている。例えば、床面から立設する支柱に左右一対のブラケットを上下複数段に係止させ、左右のブラケット上に架設した棚板上に商品を陳列するようにした棚装置がある。このような棚装置にあっては、店員が古い商品を棚板の手前側に移動させ、新しい商品を棚板の奥側に補充することが一般的に行われている。棚板上の商品の補充を行う際の利便性を高めるために、棚板をブラケット上で前方側へスライド可能としたものがある。
【０００３】
特許文献１の棚装置は、左右のブラケット上を前後方向に移動可能な棚ユニットを備えている。この棚ユニットの前端下面には、左右のブラケットに架設された横材（規制部）に係止可能なラッチ爪（被規制部）を一端に備えたレバー（可動片）が左右方向に延びる軸により揺動自在に軸支されており、レバーは、非操作時においてラッチ爪が上向きに回動するようにバネにより付勢されている。
【０００４】
棚ユニットを後方に配置したときには、バネの付勢力によりラッチ爪が横材に対して下方から係止され、棚ユニットが後方側の位置から前方側へ移動することが規制されているとともに、レバーを操作することでラッチ爪が下方に揺動して横材から外れ、棚ユニットを前方側へ引き出すことが可能となっている。これによれば、客は棚ユニットが後方の位置で移動が規制された状態で商品を取り出すことができ、店員が商品の補充をする際には、棚ユニットを前方側へ引き出して容易に商品の補充を行うことができるようになっている。
【先行技術文献】
【特許文献】
【０００５】
【特許文献１】特許第５７８９３５８号公報（第５頁、第１図）
【発明の概要】
【発明が解決しようとする課題】
【０００６】
特許文献１の棚装置にあっては、バネを用いて棚ユニットに取付けられたレバーのラッチ爪を横材に係止可能とした構造であるため、棚ユニットを後方に移動・配置したときに即座にラッチ爪を横材に係止させることができるものの、経年劣化によりバネの反発力が弱くなり、確実にラッチ爪を横材に係止させることができなくなる虞があった。
【０００７】
本発明は、このような問題点に着目してなされたもので、可動片の動作耐久性が高い棚装置を提供することを目的とする。
【課題を解決するための手段】
【０００８】
前記課題を解決するために、本発明の棚装置は、
床面から立設する立設体と、前記立設体の前方に延出するように取付けられる左右一対のブラケットと、該一対のブラケットに沿って前後方向に移動可能に取付けられた棚ユニットと、前記ブラケットに設けられた規制部に係合可能な被規制部を有し前記棚ユニットに取付けられた可動片と、を備える棚装置であって、
前記可動片は、上下の移動が許容された状態で該棚ユニットに遊着されており、非操作時に自重により前記被規制部が前記規制部に係止可能な位置に配置されることを特徴としている。
この特徴によれば、可動片を上方に移動させれば規制部と被規制部との係合を解除することができるとともに、自重により可動片が規制部と被規制部とが係合する位置に復帰するため、可動片の動作耐久性が高い。
【０００９】
前記棚ユニットのフレームに対して前記可動片が遊着されており、前記可動片は遊着部分よりも前記被規制部側に重心が位置するように構成されていることを特徴としている。
この特徴によれば、可動片を揺動させることができるとともに、被規制部を規制部と係合する位置に可動片の自重によって確実に復帰させることができる。
【００１０】
前記フレームに形成された前後一対のスリットに前記可動片が挿通されていることを特徴としている。
この特徴によれば、前後一対のスリットにより可動片の揺動範囲を規制できる。
【００１１】
前記可動片は、前記被規制部よりも前方側に操作部が延設されていることを特徴としている。
この特徴によれば、操作部を前方側から操作がしやすい。
【００１２】
前記一対のスリットのうち後側のスリットは、前側のスリットよりも高さ幅が狭いことを特徴としている。
この特徴によれば、後側のスリット側を支点として可動片の揺動が安定する。
【００１３】
前記可動片は、該可動片及び前記棚ユニットの一方に設けられた舌片が他方に係合するように折り曲げられることで前記棚ユニットからの分離が防止されていることを特徴としている。
この特徴によれば、別途部材を用いなくとも可動片及び棚ユニットの一方に設けられた舌片を利用して可動片と棚ユニットとの分離を防止することができる。
【図面の簡単な説明】
【００１４】
【図１】本発明の実施例１における棚装置の構造を示す斜視図である。
【図２】棚部の構成を示す分解斜視図である。
【図３】ブラケットの構造を示す分解斜視図である。
【図４】可動片の構造を示す斜視図である。
【図５】（ａ）は可動片周辺の構造を示す上面図、（ｂ）はＡ−Ａ断面図である。
【図６】（ａ）はＢ−Ｂ断面図、（ｂ）はＣ−Ｃ断面図である。
【図７】（ａ）は棚ユニットが後退位置にある状態を示す模式図、（ｂ）は（ａ）の状態から規制部と被規制部との係合を解除した状態を示す模式図である。
【図８】（ａ）は図７（ｂ）の状態から棚ユニットを前方に少し引き出した状態を示す模式図、（ｂ）は棚ユニットを前方側から後退位置に向けて移動させる途中の状態を示す模式図である。
【図９】（ａ）は本発明の実施例２における可動片の遊着構造を示す正面断面図、（ｂ）は側断面図である。
【図１０】本発明の実施例３における可動片の遊着構造を示す側断面図である。
【発明を実施するための形態】
【００１５】
本発明に係る棚装置を実施するための形態を実施例に基づいて以下に説明する。
【実施例１】
【００１６】
実施例１に係る棚装置につき、図１から図８を参照して説明する。以下、棚装置の棚部側を正面側とし、正面側からみて左右側を棚装置の左右として説明する。尚、図７及び図８において、説明の便宜上、可動片５４の後板部５４Ａをその左右中心位置で切断し、前板部５４Ｃを係合孔５４ｈ（張出部５４ｋ）の左右中心位置で切断し、中間板部５４Ｂを２点鎖線で模式的に図示する。
【００１７】
本実施例１の棚装置１は、スーパーマーケットやコンビニエンスストア等で商品を陳列する商品陳列棚である。尚、棚装置１は、商品陳列棚に限られず、倉庫などで物品を収納する物品収納棚として利用してもよい。
【００１８】
図１に示されるように、左右に離間する一対の支柱２，２（立設体）と、支柱２，２の上端部と下端部との対向面同士を連結している横連結杆３，３と、支柱２，２と横連結杆３，３とで構成された矩形状の枠内に固定される背面パネル４と、支柱２，２の前面に支持された上下複数段の棚部５，５，…と、から主に構成されており、棚部５を構成する棚板５１の上面には物品が陳列可能となっている。支柱２，２は、脚部６，６を有して自立可能となっているとともに、前面には、上下方向に左右２列に並ぶ多数の係合孔７，７，…が設けられている。尚、後に詳述するが、棚部５を構成する棚板５１は、同じく棚部５を構成するブラケット５２上を前後にスライド移動可能となっている。
【００１９】
図２に示されるように、棚部５は、支柱２，２の前面に取付けられる左右一対のブラケット５２，５２と、ブラケット５２，５２の上部に前後にスライド移動可能に載置される棚ユニット５０と、棚ユニット５０の前方側への移動を規制する可動片５４，５４と、から主に構成されている。
【００２０】
次に、ブラケット５２の構造を図３に基づいて説明する。尚、ここでは、右側のブラケット５２を説明し、略同一形状である左側のブラケット５２の説明を省略する。図３に示されるように、ブラケット５２は、金属製の板状部材から構成され、前後方向に延びる板状の垂直部５２ａと、垂直部５２ａの上端縁から略左方に折れ曲がる水平部５２ｂと、垂直部５２ａの後端に設けられる下向き鉤状のフック５２ｃ，５２ｃ，…と、から主に構成されている。
【００２１】
ブラケット５２の前端には、後述する可動片５４の係合孔５４ｈ（被規制部）に係合する爪部９ｅ（規制部）を備える規制部材９が固定されているとともに、ブラケット５２における規制部材９よりも後方側（ブラケット５２の前後方向略中央部）には、左右のブラケット５２を連結する連結部材１１（図２参照）の接続用金具１０が固定されている。
【００２２】
規制部材９は、金属板を折り曲げて形成されており、水平部５２ｂと平行に延びる固定片部９ａと、固定片部９ａの左端から下方側に折り曲げられる第１折片部９ｂと、第１折片部９ｂから左方に水平に折り曲げられる第２折片部９ｃと、第２折片部９ｃの左端から上方に折り曲げられる第３折片部９ｄと、を備えている。第３折片部９ｄの前端部には、上方に突出する爪部９ｅが形成されており、爪部９ｅは、前端側から後端側に向けて漸次高くなる傾斜面９ｇと傾斜面９ｇの後端から略下方に延びる鉛直面をなす後面９ｈとを有し側面視略直角三角形をなしている。規制部材９は、固定片部９ａの上面がブラケット５２の水平部５２ｂの下面に溶接されて固定されている（図６（ａ）参照）。
【００２３】
接続用金具１０は、金属板を折り曲げて形成されており、ブラケット５２の垂直部５２ａと平行に延びる固定片部１０ａと、固定片部１０ａの上端から左方に折り曲げられる第１折片部１０ｂと、第１折片部１０ｂの左端から上方に折り曲げられる第２折片部１０ｃと、第２折片部１０ｃの上端から左方に折り曲げられる第３折片部１０ｄと、を備え、第３折片部１０ｄには上下に貫通する貫通孔１０ｅが形成されている。接続用金具１０は、固定片部１０ａがブラケット５２の垂直部５２ａの左面に溶接されて固定されている。
【００２４】
左右のブラケット５２の第３折片部１０ｄには、上向きコ字状を成し左右方向に延びる連結部材１１が下方から外嵌され、ボルト及びナットにより固定されており、これにより左右のブラケット５２が連結されている（図２参照）。
【００２５】
また、水平部５２ｂの前端部及び後端部には、摩擦係数が小さい合成樹脂からなる断面視下向きコ字状の低摩擦部材８ａ，８ｂが固定されている。また、フック５２ｃ，５２ｃ，…は、支柱２，２の前面に設けられた係合孔７，７，…に係止可能となっており、係合孔７，７，…にフック５２ｃ，５２ｃ，…を係止させることでブラケット５２を支柱２，２の前面に片持ち支持できるようになっている（図１及び図２参照）。
【００２６】
次に、棚ユニット５０の構造について説明する。図２に示されるように、棚ユニット５０は、左右のブラケット５２に沿って前後方向に移動可能なフレーム２０と、フレーム２０の上に載置固定される棚板５１と、から主に構成されている。棚板５１は、物品を載置可能な天板部５１ａと、天板部５１ａの左右側部から下方に延びる側板部５１ｂと、天板部５１ａの前端から下方に延びる前板部５１ｃと、を備えており、天板部５１ａの裏面側には図示しない補強杆が配設されている。
【００２７】
フレーム２０は、前後方向に延びる左右一対のスライド部材２１，２１と、スライド部材２１，２１を左右に連結する連結杆部材２２と、スライド部材２１，２１の上面に配置される棚板支持部材２３，２３と、から主に構成されている。これらスライド部材２１、連結杆部材２２、棚板支持部材２３は金属により製造されている。
【００２８】
スライド部材２１は、断面視下向きコ字状を成し、ブラケット５２に対して上方から外嵌可能となっている（特に図６参照）。スライド部材２１とブラケット５２との間には、低摩擦部材８ａ，８ｂが介在するため、スライド部材２１は、低摩擦部材８ａ，８ｂ上を滑って円滑に前後方向にスライドすることができるようになっている。
【００２９】
連結杆部材２２は、側面視下向きコ字状を成し、左右のスライド部材２１，２１の間に着脱可能に架設されており、左右のスライド部材２１，２１を一体的に前後方向にスライドさせることができるようになっている。連結杆部材２２の上面部２２ａの左右両端部には、上面視略Ｈ形の孔部２２ｄ，２２ｄが形成されている。この孔部２２ｄは、前後に離間する２つの上面視ホームベース形の部位と、該ホームベース形の部位よりも左右方向に短寸であり且つ該ホームベース形の部位同士を前後方向に繋ぐ上面視矩形状の部位と、により形成されている（図２拡大部参照）。言い換えれば、連結杆部材２２の上面部２２ａに舌片２２ｅ，２２ｅを残して孔部２２ｄ，２２ｄを打ち抜き加工等でそれぞれ形成している。
【００３０】
また、図５（ａ），（ｂ）に示されるように、連結杆部材２２の板状の前面部２２ｂ及び板状の後面部２２ｃの左右両端部には、前後方向に貫通し左右方向に延びるスリット２２ｆ，２２ｇが形成されている。前側のスリット２２ｆの横幅Ｌ１は、後側のスリット２２ｇの横幅Ｌ２よりも大きく形成されている（Ｌ１＞Ｌ２）。また、図５（ｂ）に示されるように、前側のスリット２２ｆの上下幅Ｌ３（上面部２２ａの下面を上端とする。）は、後側のスリット２２ｇの上下幅Ｌ４よりも大きく形成されている（Ｌ３＞Ｌ４）。尚、スリット２２ｆ，２２ｇの下辺は、同一高さ位置に配置されている（図５（ｂ）参照）。
【００３１】
図２、図５及び図６を参照して、右側の棚板支持部材２３は、スライド部材２１の上面に固定される固定板部２３ａと、固定板部２３ａの右端から上方に折れ曲がる立設片部２３ｂと、を備え、立設片部２３ｂの後端側には複数のフック２３ｃが形成されている。尚、左側の棚板支持部材２３は、右側の棚板支持部材２３を左右反転させた形状であるため、その説明を省略する。
【００３２】
棚板５１は、左右の棚板支持部材２３における立設片部２３ｂの外側に左右の側板部５１ｂが配置されるように上方から外嵌され、天板部５１ａの裏面側に配置される図示しない被係合部にフック２３ｃが係止されることでフレーム２０に取付けられる（図５及び図６参照）。
【００３３】
次に、可動片５４の構造を説明する。尚、ここでは、右側の可動片５４を説明し、略同一形状である左側のブラケット５２の説明を省略する。
【００３４】
図４に示されるように、可動片５４は、金属板により形成されており、前後方向に延びる後板部５４Ａと、後板部５４Ａの前端から斜め下前方に傾斜する中間板部５４Ｂと、中間板部５４Ｂの前端から前方側に延びる前板部５４Ｃと、を備えている。すなわち、後板部５４Ａと前板部５４Ｃとは、平行に延び、且つ中間板部５４Ｂにより上下にずれて配置されている。後板部５４Ａは、前述した後側のスリット２２ｇに挿入可能な第１部位５４ａと、第１部位５４ａの前方側に配置され後側のスリット２２ｇよりも幅広かつ前側のスリット２２ｆに挿入可能な第２部位５４ｂと、を備えている。
【００３５】
第２部位５４ｂは、第１部位５４ａよりも横幅が大きく、中間板部５４Ｂよりも横幅の小さく形成されている。すなわち、第１部位５４ａと第２部位５４ｂとの間には段部５４ｄ，５４ｄが左右に形成されており、第２部位５４ｂと中間板部５４Ｂとの間には、段部５４ｅ，５４ｅが左右に形成されており、段部５４ｅ，５４ｅは前側のスリット２２ｆよりも左右方向外方に張り出している。また、第２部位５４ｂには上下方向に貫通する上面視横長矩形の貫通孔５４ｃが形成されている。
【００３６】
前板部５４Ｃは、中間板部５４Ｂの前端から前方側に延びる板状部５４ｆと、該板状部５４ｆから同一の板厚で右方向に張り出すように延設される張出部５４ｋと、を備えている。張出部５４ｋには、上下に貫通する上面視前後方向に長い矩形の係合孔５４ｈが形成されているとともに、その後端側には、後方側に向けて漸次高くなるように傾斜する傾斜板部５４ｇが形成されている。また、張出部５４ｋの前端（係合孔５４ｈの前側の部位）には、使用者が操作して可動片５４を可動させる操作部５４ｊが形成されている。
【００３７】
次いで、可動片５４とフレーム２０とを組み付けた状態について図５及び図６を用いて説明する。尚、ここでは、右側の可動片５４の組み付けを説明し、左側の可動片５４の組み付けの説明を省略する。
【００３８】
図５及び図６に示されるように、可動片５４は、その後板部５４Ａが前方側から連結杆部材２２のスリット２２ｆ，２２ｇに挿通され、スリット２２ｆ，２２ｇの下辺に支持されている。具体的には、可動片５４の第１部位５４ａは後側のスリット２２ｇに挿通され、第２部位５４ｂは前側のスリット２２ｇに挿通されている。また、スリット２２ｆの上下幅Ｌ３及びスリット２２ｇの上下幅Ｌ４は、可動片５４の板厚よりも大きく形成されているので、可動片５４は上下の移動が許容されている。また、連結杆部材２２の前面部２２ｂの前面に段部５４ｅが接触することにより、可動片５４の連結杆部材２２に対する過挿入が規制されている。
【００３９】
また、可動片５４は、連結杆部材２２のスリット２２ｆ，２２ｇに挿通された状態において、下方側に折り曲げられた舌片２２ｅ，２２ｅが貫通孔５４ｃ内に挿通されることで、スリット２２ｆ，２２ｇから抜け止めされている。具体的には、可動片５４は、その後板部５４Ａがスリット２２ｆ，２２ｇに挿通された状態で、ハンマーなどの工具を用いて上方から舌片２２ｅ，２２ｅを下方に折り曲げることにより抜け止めされる。舌片２２ｅ，２２ｅの前後には、上面視孔部２２ｄの２つのホームベース形の部位が形成されているので、舌片２２ｅ，２２ｅを工具で折り曲げる際に、該工具と連結杆部材２２の上面部２２ａとの接触を回避できるようになっている。
【００４０】
また、舌片２２ｅ，２２ｅは、貫通孔５４ｃの左右辺に接触しないように離間しているので、可動片５４の上下の移動が舌片２２ｅ，２２ｅにより阻害されないようになっている（特に図６（ｂ）参照）。また、貫通孔５４ｃの前後幅は舌片２２ｅの前後幅よりも僅かに大きく形成されているので、可動片５４は若干の前後移動が許容されている。
【００４１】
すなわち、スリット２２ｆ，２２ｇの下辺と舌片２２ｅ，２２ｅとは、可動片５４の上下方向の移動を許容した状態で棚ユニット５０に遊着する遊着手段として機能している。
【００４２】
次に、可動片５４の動作について図７及び図８に基づいて説明する。尚、ここでは右側の可動片５４の動作についてのみ説明し、左側の可動片５４の動作についての説明は省略する。
【００４３】
図７（ａ）に示されるように、棚ユニット５０を後退位置に配置した状態であり、且つ可動片５４の非操作状態にあっては、後板部５４Ａがスリット２２ｆ，２２ｇの下辺に載置されており、係合孔５４ｈが爪部９ｅに係合している。この状態にあっては、棚ユニット５０を前方側にスライドさせる外力が働いても、係合孔５４ｈの後辺が略垂直を成す爪部９ｅの後面９ｈに接触するため、棚ユニット５０の前方側へのスライドが規制される。
【００４４】
図７（ｂ）に示されるように、操作部５４ｊの下面に指を掛け持ち上げると、スリット２２ｇの下辺と第１部位５４ａとの接触部分Ｐ１を支点として可動片５４が揺動する。操作部５４ｊを操作して前板部５４Ｃをある程度持ち上げると、係合孔５４ｈと爪部９ｅとの係合が解除される。更に前板部５４Ｃを持ち上げると、スリット２２ｇの上辺（連結杆部材２２の上面部２２ａ）に第２部位５４ｂが接触してそれ以上の上方側への揺動が規制される。
【００４５】
図８（ａ）に示されるように、係合孔５４ｈと爪部９ｅとの係合を解除（図７（ｂ）の状態）すると、棚ユニット５０を前方側へ引き出すことができるようになっている。図６（ａ）に示すように、連結杆部材２２の前面部２２ｂ及び後面部２２ｃの左右両端には、下方に開口し且つ前後に貫通する切欠き部２２１，２２２が形成されており、切欠き部２２１，２２２は、爪部９ｅと左右方向に対応するので、爪部９ｅを連結杆部材２２に接触させることなく棚ユニット５０を前方側へ引き出すことができる。
【００４６】
また、棚ユニット５０を前方側へ引き出した状態で可動片５４から手を離すと、図８（ａ）において仮想線で示すように、可動片５４が自重により前板部５４Ｃが下降するように接触部分Ｐ１を支点として揺動する。可動片５４は、接触部分Ｐ１の後端側の部分よりも接触部分Ｐ１の前端側の部分の方が長く延設されており、接触部分Ｐ１よりも前方側に重心が位置しているため、前板部５４Ｃを確実に下降させることができる。
【００４７】
また、前板部５４Ｃが下降した勢いにより、スリット２２ｆの下辺と後板部５４Ａ（第２部位５４ｂ）との接触部分Ｐ２を支点として前板部５４Ｃがさらに下降しようとする場合があるが、前側のスリット２２ｆの上下幅Ｌ３よりも小さい上下幅Ｌ４の後側のスリット２２ｇにより第１部位５４ａの跳ね上がりが規制されるため、前板部５４Ｃがさらに下降するような可動片５４の揺動が規制される。
【００４８】
また、図８（ｂ）は、図８（ａ）の状態から棚ユニット５０を後退させる途中の状態を示している。棚ユニット５０を後退させると、可動片５４が爪部９ｅに接触するが、爪部９ｅの前端側は、後端側に向けて漸次高くなる傾斜面９ｇとなっているとともに、可動片５４における係合孔５４ｈの後端側には、後方側に向けて漸次高くなるように傾斜する傾斜板部５４ｇが形成されているため、傾斜板部５４ｇが傾斜面９ｇに沿ってスライドし、接触部分Ｐ１を支点として前板部５４Ｃが持ち上がるように可動片５４が揺動する。これにより、可動片５４が爪部９ｅを乗り越え、係合孔５４ｈが爪部９ｅに係合する位置（図７（ａ）の位置）まで棚ユニット５０を円滑に後退移動させることができる。
【００４９】
尚、可動片５４が爪部９ｅを乗り越えたときには、前述のように接触部分Ｐ１よりも前方側に重心が位置するので、係合孔５４ｈが爪部９ｅに係合する位置に可動片５４を確実に揺動させることができる。
【００５０】
以上説明したように、可動片５４は、上下の移動が許容された状態で該棚ユニット５０に遊着されており、非操作時に自重により係合孔５４ｈが爪部９ｅに係止可能な位置に配置されている。具体的には、スリット２２ｆ，２２ｇの下辺に可動片５４が支持され、舌片２２ｅ，２２ｅにより可動片５４が抜け止めされており、可動片５４を上方に移動させれば係合孔５４ｈと爪部９ｅとの係合を解除することができるとともに、自重により可動片５４が係合孔５４ｈと爪部９ｅとが係合する位置に復帰するようになっている。これによれば、可動片５４の自重を用いて係合孔５４ｈと爪部９ｅとを係合させるため、バネ等を用いて係合孔５４ｈと爪部９ｅと係合させる形態に比べて可動片５４の動作耐久性が高い。
【００５１】
また、棚ユニット５０のフレーム２０に対して可動片５４が遊着されており、可動片５４は、後側のスリット２２ｇよりも係合孔５４ｈ側（前側）に重心が位置するため、接触部分Ｐ１を支点として可動片５４の前板部５４Ｃを上下に揺動させることができるとともに、自重により係合孔５４ｈを爪部９ｅに係合する位置に確実に復帰させることができる。また、強度の高い棚ユニット５０のフレーム２０に可動片５４が遊着されているので、可動片５４の揺動が安定するとともに、棚板５１により可動片５４を目隠しでき、且つ棚板５１にスリット等を設ける必要がないので、美観が向上する。
【００５２】
また、フレーム２０に形成された前後一対のスリット２２ｆ，２２ｇに可動片５４が挿通されているため、可動片５４の揺動範囲を規制でき、可動片５４の前板部５４Ｃが上方に上がり過ぎたり、下方に下がり過ぎることを防止できる。
【００５３】
また、可動片５４は、係合孔５４ｈよりも前方側に操作部５４ｊが延設されているので、棚ユニット５０の奥側に手を伸ばさなくても、棚ユニット５０の前方側で操作部５４ｊを操作できる。具体的には、操作部５４ｊを持ち上げて係合孔５４ｈと爪部９ｅとの係合を解除する操作と、棚ユニット５０を手前側に引き出す操作と、を棚ユニット５０の前方側の位置で一連の動作で行うことができる。また、可動片５４及び爪部９ｅは、フレーム２０の左右両端部に配設されているので、棚ユニット５０が後退位置から意図せずに前方側へスライドすることを確実に防止できるとともに、棚ユニット５０の左右両端部を把持して該棚ユニット５０をスムーズに前方側に引き出すことができる。
【００５４】
また、前後一対のスリット２２ｆ，２２ｇのうち後側のスリット２２ｇは、前側のスリット２２ｆよりも高さ幅が狭い（Ｌ３＞Ｌ４）。これによれば、接触部分Ｐ１を支点とした可動片５４の揺動を前側のスリット２２ｆが阻害しないとともに、後側のスリット２２ｇにより可動片５４の後板部５４Ａ（第１部位５４ａ）の跳ね上がりを規制でき、可動片５４の揺動が安定する。また、外力により可動片５４が前後に延びる軸を中心に揺動したときも後側のスリット２２ｇにより即座に該揺動が規制される。
【００５５】
また、可動片５４は、フレーム２０に設けられた舌片２２ｅ，２２ｅが可動片５４の貫通孔５４ｃに係合するように折り曲げられることで棚ユニット５０からの分離が防止されているので、別途部材を用いなくともフレーム２０に設けられた舌片２２ｅ，２２ｅを利用して可動片５４と棚ユニット５０との分離を防止することができる。言い換えれば、少ない部品点数で可動片５４を棚ユニット５０に対して遊着することができる。
【００５６】
さらに、可動片５４をスリット２２ｆ，２２ｇに挿通すると、連結杆部材２２の前面部２２ｂの前面に段部５４ｅが接触して位置決めされるとともに、位置決めされた可動片５４の貫通孔５４ｃに舌片２２ｅ，２２ｅが係合するように折り曲げられるので、舌片２２ｅ，２２ｅを貫通孔５４ｃに係合させる作業が簡便である。また、舌片２２ｅ，２２ｅの折部は前後方向に延びるため、可動片５４の抜け出し方向に外力が作用したときに、舌片２２ｅ，２２ｅが開く方向（係合を解除する方向）に力が働くことを防止でき、可動片５４の抜け出しが規制された状態を維持できる。
【００５７】
尚、本実施例１では、連結杆部材２２の前面部２２ｂ及び後面部２２ｃに可動片５４を挿通するスリット２２ｆ，２２ｇが形成されており、スリット２２ｆ，２２ｇにより可動片５４の移動範囲を規制していたが、例えば、可動片５４にスリットを設け、該スリットに挿通される突出片を連結杆部材２２に設け、該スリットと突出片により可動片５４の移動範囲を規制するようになっていてもよい。さらに尚、本実施例１では、可動片５４のスリット２２ｆ，２２ｇからの抜け出しを防止する舌片２２ｅ，２２ｅが連結杆部材２２に設けられていたが、連結杆部材２２に係合可能な舌片が可動片５４側に設けられていてもよい。
【実施例２】
【００５８】
次に、実施例２に係る棚装置につき、図９を参照して説明する。尚、前記実施例と同一構成で重複する構成の説明を省略する。さらに尚、右側の可動片５４の周辺の構造を説明し、左側の可動片５４の周辺の構造の説明を省略する。
【００５９】
図９に示されるように、実施例２の連結杆部材２２０の前面部２２ｂ及び後面部２２ｃには、切欠き部２２１，２２２よりも左右方向内側に可動片５４が挿通される挿通部２２３，２２４が形成されている。前後の挿通部２２３，２２４は、下向きに開口し且つ前後に貫通し、略同一形状を成している。また、連結杆部材２２０の上面部２２ａには、挿通部２２３，２２４と左右方向に対応する位置に孔部２２７が形成されている。孔部２２７の左右方向に対向する２辺には、舌片２２５，２２６が設けられている。
【００６０】
右側の舌片２２５は、対向する舌片２２６側に向かって下方側に延びる傾斜部２２５ａと、傾斜部２２５ａの下端から右側に水平に延びる支持部２２５ｂと、から構成されている。左側の舌片２２６は、対向する舌片２２５側に向かって下方側に延びる傾斜部２２６ａと、傾斜部２２６ａの下端から左側に水平に延びる支持部２２６ｂと、から構成されている。傾斜部２２５ａ，２２６ａは、可動片５４の貫通孔５４ｃの上方から下方に貫通しており、支持部２２５ｂ，２２６ｂの上面に可動片５４が載置されている。
【００６１】
これによれば、舌片２２５，２２６により可動片５４の抜け出しが規制されているとともに、支持部２２５ｂ，２２６ｂの後端縁と可動片５４との接触部分Ｐ３を支点として可動片５４が上下に回動可能となっている。すなわち、舌片２２５，２２６は、可動片５４の上下方向の移動を許容した状態で棚ユニット５０に遊着する遊着手段として機能している。尚、棚ユニット５０を前方側に引き出した状態にあっては、非操作状態において可動片５４の前板部５４Ｃが下降するが、可動片５４における貫通孔５４ｃの後端側上部の角部Ｐ４が傾斜部２２５ａ，２２６ａに接触して可動片５４の前板部５４Ｃの下降が規制される。
【００６２】
このように、可動片を上下の移動が許容された状態で棚ユニットに遊着可能であり、且つ非操作時（自然状態時）に自重により規制部と被規制部とが係合する位置に復帰する構造であれば、遊着手段は自由に変更できる。
【実施例３】
【００６３】
次に、実施例３に係る棚装置につき、図１０を参照して説明する。尚、前記実施例と同一構成で重複する構成の説明を省略する。さらに尚、右側の可動片５４の周辺の構造を説明し、左側の可動片５４の周辺の構造の説明を省略する。
【００６４】
図１０に示されるように、実施例３の連結杆部材２２’は、孔部２２ｄ及び舌片２２ｅ，２２ｅが設けられていない以外、実施例１の連結杆部材２２と同一形状を成している。実施例３の可動片５４０は、連結杆部材２２’のスリット２２ｆ，２２ｇに挿通された状態で後端部に設けられた舌片５４１を下方側に折り曲げることにより抜け止めされている。このように、可動片と棚ユニットとの抜け止めを行う舌片は、可動片または棚ユニットのどちらか一方に設けられていればよい。尚、図示しないが、舌片は可動片と棚ユニットとの両方に設けられていてもよい。
【００６５】
以上、本発明の実施例を図面により説明してきたが、具体的な構成はこれら実施例に限られるものではなく、本発明の要旨を逸脱しない範囲における変更や追加があっても本発明に含まれる。
【００６６】
例えば、前記実施例では、可動片の前端側が後端側を支点として上下に揺動する形態を例示したが、これに限られず、例えば、可動片の左右一端が左右他端を支点として上下に揺動するようになっていてもよい。尚、この場合であっても、操作性の観点から前方側に操作部が設けられることが好ましい。
【００６７】
また、可動片は棚ユニットに揺動可能に取付けられることに限られず、例えば、可動片が水平な状態を維持したまま上下にスライド移動可能に棚ユニットに取付けられていてもよい。
【００６８】
また、前記実施例では、可動片５４の前板部５４Ｃに被規制部としての係合孔５４ｈが設けられ、係合孔５４ｈ側に重心が位置し、係合孔５４ｈが自重により規制部である爪部９ｅに上方から係合する形態を例示したが、これに限られず、例えば、可動片５４の後板部５４Ａ側（被規制部とは反対側）に重心が位置し、係合孔５４ｈが自重により上昇するようになっており、上方に設けられた爪部９ｅに対して下方から係合するようになっていてもよい。すなわち、自重を利用して可動片の被規制部が規制部に係合するようになっていればよい。
【００６９】
また、前記実施例では、ブラケット５２に設けられる爪部９ｅに可動片５４の係合孔５４ｈが係合する形態を説明したが、ブラケット５２に係合孔を設け、可動片５４に前記係合孔に係合可能な爪部を設けてもよい。
【符号の説明】
【００７０】
１                棚装置
２                支柱（立設体）
５                棚部
９ｅ              爪部（規制部）
２０              フレーム
２１              スライド部材
２２，２２’      連結杆部材
２２ｅ            舌片
２２ｆ，２２ｇ    スリット
５０              棚ユニット
５２              ブラケット
５４ｃ            貫通孔
５４ｈ            係合孔（被規制部）
５４ｊ            操作部
２２５，２２６    舌片
５４０            可動片
５４１            舌片
【図１】
2020103337.tif 000003
【図２】
2020103337.tif 000004
【図３】
2020103337.tif 000005
【図４】
2020103337.tif 000006
【図５】
2020103337.tif 000007
【図６】
2020103337.tif 000008
【図７】
2020103337.tif 000009
【図８】
2020103337.tif 000010
【図９】
2020103337.tif 000011
【図１０】
2020103337.tif 000012